(57)【要約】【課題】天板材質を軽量化及びコストダウン目的で薄肉化する場合、材料の強度が低下する。【解決手段】本発明の空気調和機の室外機は、天板３を含むケーシングを備えた空気調和機の室外機であって、天板３は、略長方形状であって、その表面に設けられた複数の段差部５を有しており、複数の段差部５は、天板３の短辺側の外端部に沿って形成されると共に、その両端が天板３の長辺側の外端部より内側に配置される。【選択図】図２
2016200326.tif 000002
【特許請求の範囲】
【請求項１】
天板を含むケーシングを備えた空気調和機の室外機であって、
前記天板は、略長方形状であって、その表面に設けられた複数の段差部を有しており、
前記複数の段差部は、前記天板の短辺側の外端部に沿って形成されると共に、その少なくとも一端が前記天板の長辺側の外端部より内側に配置されることを特徴とする室外機。
【請求項２】
前記天板は、前記複数の段差部と当該天板の長辺側の外端部との間に配置され、当該複数の段差部から当該天板の長辺側の外端部に近づくにつれて低くなる斜面部を有していることを特徴とする室外機。
【請求項３】
前記複数の段差部は、前記天板の長手方向中央部近傍において密に形成されることを特徴とする請求項１または２に記載の室外機。
【請求項４】
前記天板は、隣り合う段差部の間にそれぞれ配置される平面部と溝部とが交互に配置されることを特徴とする請求項１〜３のいずれか１項に記載の室外機。
【請求項５】
前記平面部は、前記天板の長辺側の外端部から離れるにつれて上方に突出するように湾曲することを特徴とする請求項４に記載の室外機。
【請求項６】
前記平面部の少なくとも１つの幅は、前記天板に形成される銘版の幅以上であることを特徴とする請求項１〜５のいずれか１項に記載の室外機。
【発明の詳細な説明】
【技術分野】
【０００１】
本発明は、例えば天板を含むケーシングを備えた空気調和機の室外機に関する。
【背景技術】
【０００２】
従来の空気調和機の室外機には、ケーシングの天板の強度を向上させるために略長方形状の天板の表面に、その長手方向に沿った複数の段差部を形成したものがある。
【先行技術文献】
【特許文献】
【０００３】
【特許文献１】特開２０１２−２３３６５７
【発明の概要】
【発明が解決しようとする課題】
【０００４】
空気調和機の室外機において、天板材質を軽量化及びコストダウン目的で薄肉化する場合、材料の強度が低下することにより、天面からの踏込みや梱包積載荷重によって天板に打痕が発生する問題がある。
【０００５】
そこで、本発明の目的は、天板材質を軽量化及びコストダウン目的で薄肉化する場合において、天板に打痕が発生するのを防止できる空気調和機の室外機を提供することにある。
【課題を解決するための手段】
【０００６】
第１の発明に係る空気調和機の室外機は、天板を含むケーシングを備えた空気調和機の室外機であって、前記天板は、略長方形状であって、その表面に設けられた複数の段差部を有しており、前記複数の段差部は、前記天板の短辺側の外端部に沿って形成されると共に、その少なくとも一端が前記天板の長辺側の外端部より内側に配置されることを特徴とする。
【０００７】
この室外機では、略長方形状の天板の表面に、複数の段差部が天板の短辺側に外端部に沿って形成されることにより、板厚を薄くしても強度を向上させることができる。また、複数の段差部が天板の長辺側の外端部まで延在してないことにより、段差部が天板の長辺側の外端部まで延在している場合と比べ、天板の成型時に局所的にしわが形成されるのが抑制され、外観が損なわれるのを防止できる。
【０００８】
第２の発明に係る空気調和機の室外機は、第１の発明において、前記天板は、前記複数の段差部と当該天板の長辺側の外端部との間に配置され、当該複数の段差部から当該天板の長辺側の外端部に近づくにつれて低くなる斜面部を有していることを特徴とする。
【０００９】
この室外機では、天板が複数の段差部から天板の外端部に近づくにつれて低くなる斜面部を有していることにより、天板の平面部分を小さくし、たわみ量を低減できる。したがって、天板の強度をさらに向上させることができるとともに、室外機の外観を小型化できる。
【００１０】
第３の発明に係る空気調和機の室外機は、第１または第２の発明において、前記複数の段差部は、前記天板の長手方向中央部近傍において密に形成されることを特徴とする。
【００１１】
この室外機では、複数の段差部が天板の長手方向中央部近傍において密に形成されることにより、天板の長手方向中央部の強度をさらに向上させることができる。
【００１２】
第４の発明に係る空気調和機の室外機は、第１−第３のいずれかの発明において、前記天板は、隣り合う段差部の間にそれぞれ配置される平面部と溝部とが交互に配置されることを特徴とする。
【００１３】
この室外機では、天板の表面を溝部によって複数の平面部に区切ることにより、天板の強度をさらに向上させることができる。
【００１４】
第５の発明に係る空気調和機の室外機は、第４の発明において、前記平面部は、前記天板の長辺側の外端部から離れるにつれて上方に突出するように湾曲することを特徴とする。
【００１５】
この室外機では、平面部を上方に突出するように湾曲させることによって、平面部における板金の張り度合を高くすることにより、平面部に上方から力が作用したときに、平面部が下方に突出するように変形するのを防止できる。
【００１６】
第６の発明に係る空気調和機の室外機は、第１−第５のいずれかの発明において、前記平面部の少なくとも１つの幅は、前記天板に形成される銘版の幅以上であることを特徴とする。
【００１７】
この室外機では、平面部の幅が銘版の幅以上であることにより、天板において段差部のないところに銘版を形成できる。
【発明の効果】
【００１８】
第１の発明では、略長方形状の天板の表面に、複数の段差部が天板の短辺側に外端部に沿って形成されることにより、板厚を薄くしても強度を向上させることができる。また、複数の段差部が天板の長辺側の外端部まで延在してないことにより、段差部が天板の長辺側の外端部まで延在している場合と比べ、天板の成型時に局所的にしわが形成されるのが抑制され、外観が損なわれるのを防止できる。
第２の発明では、天板が複数の段差部から天板の外端部に近づくにつれて低くなる斜面部を有していることにより、天板の平面部分を小さくし、たわみ量を低減できる。したがって、天板の強度をさらに向上させることができるとともに、室外機の外観を小型化できる。
【００１９】
第３の発明では、複数の段差部が天板の長手方向中央部近傍において密に形成されることにより、天板の長手方向中央部の強度をさらに向上させることができる。
第４の発明では、天板の表面を溝部によって複数の平面部に区切ることにより、天板の強度をさらに向上させることができる。
【００２０】
第５の発明では、平面部を上方に突出するように湾曲させることによって、平面部における板金の張り度合を高くすることにより、平面部に上方から力が作用したときに、平面部が下方に突出するように変形するのを防止できる。
第６の発明では、平面部の幅が銘版の幅以上であることにより、天板において段差部のないところに銘版を形成できる。
【図面の簡単な説明】
【００２１】
【図１】本発明の実施形態に係る空気調和機の室外機の外観斜視図である。
【図２】図２（ａ）は図１の室外機の天板の平面図、図２（ｂ）及び図２（ｃ）は図１の室外機の天板の側面図である。
【図３】図３（ａ）は図１の室外機の天板の部分的な平面図、図３（ｂ）は図３（ａ）におけるIIIb-IIIb線における断面図である。
【発明を実施するための形態】
【００２２】
以下、図面を参照しつつ、本発明の実施形態に係る空気調和機の室外機について説明する。
【００２３】
［空気調和機の構成］
図１に示すように、本実施形態の空気調和機の室外機１は、略直方体形状のケーシング２を有している。ケーシング２は、圧縮機、室外熱交換器、室外熱交換器に対向するように配置された室外ファン等を収容する。ケーシング２は、底板と、底板の上方に配置された４つの側板（前板、左側板、右側板、背面板）と、４つの側板の上方に配置された天板３とを有している。
【００２４】
図２（ａ）は天板の平面図、図２（ｂ）は天板３の長手方向に沿った側面図、図２（ｃ）は天板３の長手方向に垂直な側面図である。天板３は、図２（ａ）に示すように、平面視において略長方形状であって、その表面には、複数の段差部５（５ａ、５ｂ）が形成される。複数の段差部５は、天板３の短辺側の外端部に沿って直線状であって、互いに平行に形成される。
【００２５】
複数の段差部５は、天板３の長手方向両端部にそれぞれ形成された２つの段差部５ａと、２つの段差部５ａ間に形成された８つの段差部５ｂとを含んでいる。８つの段差部５ｂは、天板３の長手方向端部に形成された段差部５ａから内側に向かって距離ｔ１離れたところに形成された後、距離ｔ２離れたところに形成され、その後、距離ｔ３間隔に形成される。  本実施形態における複数の段差部５の数や配置は例であって、複数の段差部５の数や配置は変更してよい。
【００２６】
したがって、天板３の表面は、図２（ａ）に示すように、天板３の長手方向両端部に形成された段差部５ａの外側に配置された溝部６ｂと、距離ｔ１離れた段差部５間に形成される平面部６ａと、距離ｔ２離れた段差部５間に形成される溝部６ｂと、溝部６ｂの内側に配置された３つの平面部６ａ、２つの溝部６ｂとを有している。溝部６ｂは、平面部６ａより低くなるように構成されることから、天板３の表面は、凹凸形状に構成される。本実施形態では、幅ｔ１の平面部６ａと幅ｔ３の平面部６１とがあるが、平面部の幅が狭い方が、平面部６ａのたわみ量が小さくなる。したがって、平面部６ａの両端に形成される段差部５間の距離は小さい方が、上方から力が作用したときに、平面部６ａが変形するのを抑制できる。
【００２７】
天板３の表面において、段差部５の両端は、天板３の長辺側の外端部より内側に配置され、段差部５と天板３の長辺側の外端部との間には、段差部５から天板３の長辺側の外端部に近づくにつれて低くなる斜面部７が形成される。また、天板３の表面において、天板３の長手方向両端部の溝部６ｂの外側には、溝部６ｂから天板３の短辺側の外端部に近づくにつれて低くなる斜面部７が形成される。このように、本実施形態では、天板３の表面の外周部において、長手方向に沿った２つの傾斜部７が形成されるとともに、天板３の表面の外周部において、長手方向に垂直な方向に沿った部分にも傾斜部が形成される。したがって、天板３の表面の外周部の全周に、天板３の外端部に近づくにつれて低くなる斜面部７が形成される。
【００２８】
図３（ｂ）に示すように、溝部６ｂは、水平な面であるのに対し、平面部６ａは、天板３の長辺側の外端部より内側に離れるにつれて上方に突出するように湾曲している。図３（ｂ）では、平面部６ａが湾曲していることを誇張して図示している。したがって、段差部５は、天板３の長辺側の外端部における段差が最も小さく、内側に離れるにつれて段差が大きくなる。
【００２９】
天板３の平面部６ａには、３つの銘版８が形成されている。銘版８は、警告銘板（ケガのおそれあり  棒などをいれないこと）、注意銘板（ケガのおそれあり  上に乗らないこと）、注意銘板（ケガのおそれあり  アルミフィンにさわらないこと）を示している。したがって、本実施形態では、図２（ａ）において、天板３の右端部にある平面部６ａの両側に配置される段差部５は、銘版８の幅以上の距離だけ離れていることから、天板３の平面部６ａに銘版８が形成される。
【００３０】
従来の空気調和機の室外機において長手方向に沿った複数の段差部が形成された天板と、本発明の空気調和機の室外機において天板３の短い方の辺に沿った複数の段差部５が形成された天板３との強度についての評価について説明する。強度についての評価としては、天板の表面の中央部に荷重を作用させ、そのときの天板の表面の中央部の変形量を測定した。従来の長手方向に沿った複数の段差部が形成された天板（板厚０．７ｍｍ）の変形量を測定した後、板厚を０．１ｍｍ小さくし、従来の長手方向に沿った複数の段差部が形成された天板（板厚０．６ｍｍ）の変形量を測定した。このとき、板厚が小さくなった分、変形量が大きくなることが分かった。本発明の短い方の辺に沿った複数の段差部５が形成された天板３（板厚０．６ｍｍ）の変形量を測定した。このときの変形量は、従来の長手方向に沿った複数の段差部が形成された天板（板厚０．７ｍｍ）の変形量より小さいとともに、従来の長手方向に沿った複数の段差部が形成された天板（板厚０．６ｍｍ）の変形量より小さいことが分かった。
【００３１】
［本実施形態の空気調和機の特徴］
本実施形態の空気調和機の室外機１では、略長方形状の天板３の表面に、複数の段差部５が天板３の短辺側に外端部に沿って形成されることにより、板厚を薄くしても強度を向上させることができる。また、複数の段差部５が天板３の長辺側の外端部まで延在してないことにより、段差部５が天板３の長辺側の外端部まで延在している場合と比べ、天板３の成型時に局所的にしわが形成されるのが抑制され、外観が損なわれるのを防止できる。
【００３２】
本実施形態の空気調和機の室外機１では、天板３が複数の段差部５から天板３の外端部に近づくにつれて低くなる斜面部７を有していることにより、天板３の平面部分を小さくし、たわみ量を低減できる。したがって、天板３の強度をさらに向上させることができるとともに、室外機１の外観を小型化できる。
【００３３】
本実施形態の空気調和機の室外機１では、複数の段差部５が天板３の長手方向中央部近傍において密に形成されることにより、天板３の長手方向中央部の強度をさらに向上させることができる。
【００３４】
本実施形態の空気調和機の室外機１では、天板３の表面を溝部６ｂによって複数の平面部６ａに区切ることにより、天板３の強度をさらに向上させることができる。
【００３５】
本実施形態の空気調和機の室外機１では、平面部６ａを上方に突出するように湾曲させることによって、平面部６ａにおける板金の張り度合を高くすることにより、平面部６ａに上方から力が作用したときに、平面部６ａが下方に突出するように変形するのを防止できる。
【００３６】
本実施形態の空気調和機の室外機１は、平面部６ａの幅が銘版８の幅以上であることにより、天板において段差部のないところに銘版を形成できる。
【００３７】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００３８】
上述の実施形態では、段差部５の両端が天板３の長辺側の外端部より内側に配置されている場合について説明したが、段差部５の少なくとも一方の端部が天板３の長辺側の外端部より内側に配置されたものであってよい。
【００３９】
上述の実施形態では、段差部５と天板３の長辺側の外端部との間に、段差部５から天板３の長辺側の外端部に近づくにつれて低くなる斜面部７が形成される場合について説明したが、段差部５と天板３の長辺側の外端部との間に、斜面部７が形成されなくてよい。
【００４０】
上述の実施形態では、平面部６ａが上方に突出するように湾曲する場合について説明したが、平面部６ａが上方に突出するように湾曲しないものであってよい。したがって、平面部６ａおよび溝部６ｂのいずれもが水平な平面であってよい。
【００４１】
上述の実施形態では、複数の段差部５が、天板３の長手方向中央部に多く配置され、天板３の長手方向中央部近傍において密に形成された場合について説明したが、複数の段差部５の数や配置（段差部間の距離）は変更してよい。したがって、平面部６ａの幅や溝部６ｂの幅は変更してよい。
【産業上の利用可能性】
【００４２】
本発明を利用すれば、板厚を薄くしても強度を向上させることができる。
【符号の説明】
【００４３】
１  空気調和機の室外機
２  ケーシング
３  天板
５  段差部
７  斜面部
８  銘版
【図１】
2016200326.tif 000003
【図２】
2016200326.tif 000004
【図３】
2016200326.tif 000005